(57)【特許請求の範囲】
【請求項１】
放電容器の外表面に一対のメッシュ状の光透過性外部電極が設けられ、前記放電容器の内表面には反射膜が形成されるとともに、該反射膜には光モニター用の採光口が形成されてなるエキシマランプにおいて、
前記採光口の輪郭線が、前記メッシュ状の外部電極の素線と直線的に重なることのないように形成されていることを特徴とするエキシマランプ。
【発明の詳細な説明】
【技術分野】
【０００１】
この発明は放電容器内に反射膜を形成したエキシマランプに関し、特に、該反射膜に光モニター用の採光口が形成されたエキシマランプに係るものである。
【背景技術】
【０００２】
従来、エキシマランプとしては、放電容器の内面の光放射面を除く部分に、紫外光を反射するシリカ主体の微粒子からなる反射膜が形成されてなるものが知られている。このようなランプにおいては、放電容器の光放射面の外表面には、光を取り出すという本来の機能を果たすために、例えば金ペーストを格子状に塗布したメッシュ状の光透過性電極が用いられている。
一方、前記光放射面に対向する光を取り出さない非光出射面の外表面に形成する外部電極としては、機能的には光透過性である必要はないが、多くの場合、製造工程の簡素化や、該放電容器内で発生する放電の安定性等の観点から、前記光放射面と同様に光透過性電極をそのまま用いることが行われている。
ところで、各種の紫外光照射装置におけるエキシマランプにおいては、紫外光の安定的な放射が求められていることから、その紫外光の光量をモニターすることが行われていて、そのために、反射膜の一部に採光口を形成して、該採光口から取出される紫外光をモニターしている。
このような技術は、例えば、特開２０１０−２２５３４３号公報などで知られている。
【０００３】
この従来技術が図７、図８および図９に示されている。図７は、エキシマランプの上面図であり、図８は図７のＡ−Ａ断面図、図９は図７のＢ−Ｂ断面図である。図において、エキシマランプ２０は石英ガラスなどよりなる放電容器２１を有する。該放電容器２１の外表面には、金ペーストなどでメッシュ状に形成された一対の光透過性外部電極２２、２３が対向して形成されている。そして、放電容器２１の内表面には、光放射面を除いて反射膜２４が形成されている。
この反射膜２４の一部には採光口２５が形成されていて、その上方には光モニター２６が配置されて、放電容器２１から放射される紫外光をモニターしている。
なお、この従来例においては、前記外部電極２２、２３の端部にはベタ状電極２７が形成されており、放電容器２１内には始動補助電極としての導電体２８が形成されている。
【０００４】
ところで、当該従来技術においては、反射膜２４に形成される採光口２５の輪郭線２５ａが、メッシュ状の光透過性電極２３の素線２３ａと直線的に連続して重なって形成されているため、外部電極２２、２３間に電圧が印加されたとき、図１０に示すように、放電容器２１内部では採光口２５の輪郭線２５ａを形成する反射膜２４のエッジ部分２４ａに電界が集中しやすく、当該エッジ部分２４ａに放電Ｘが集中しやすい。
このため、外部電極２２、２３間での放電が不安定な状態となり、採光口２５から取り出される紫外光の光量を光モニターで検知すると、検知した信号値にいくつものピークが発生してノイズとなり、安定した紫外光の監視ができないという問題があった。
また、反射膜２４のエッジ部分２４ａで放電が集中することで採光口２５の中央付近は放電が起こりにくくなってしまい、放電が起こったとしても著しく弱い放電となる。そのため、採光口２５から取り出される紫外光の光束量が減り、光モニターで検知される光量が低く見積もられてしまうという不具合があった。
【先行技術文献】
【特許文献】
【０００５】
【特許文献１】特開２０１０−２２５３４３号公報
【発明の概要】
【発明が解決しようとする課題】
【０００６】
本発明は、以上のような従来技術の問題点に鑑みてなされたものであり、放電容器の外表面に一対のメッシュ状の光透過性外部電極が設けられ、前記放電容器の内表面には反射膜が形成されるとともに、該反射膜には光モニター用の採光口が形成されてなるエキシマランプにおいて、前記採光口の輪郭線を形成する反射膜のエッジ部分において放電が集中することのないようして、放電容器内で安定的な放電が維持され、採光口からの紫外光の光束量が減じすることのないようした構造を提供せんとするものである。
【課題を解決するための手段】
【０００７】
上記従来技術の問題点に鑑みて、本発明では、放電容器内に設けられた反射膜に形成される光モニター用の採光口の輪郭線が、放電容器外表面に設けられたメッシュ状の光透過性電極の素線と直線的に重なることのないようにしたことを特徴とする。
【発明の効果】
【０００８】
このような構成を採ることにより、採光口の輪郭線を形成する反射膜のエッジ部に放電が集中することがなく、採光口全面で一様な放電が生成されて、採光口からの紫外光の光束量が減じることがなく、正常な光モニターが達成できるものである。
【図面の簡単な説明】
【０００９】
【図１】本発明の第１の実施例であるエキシマランプの構成を示す上面図。
【図２】図１のＢ−Ｂ断面図。
【図３】図２のＡ部拡大図。
【図４】本発明の第２の実施例。
【図５】本発明の第３の実施例。
【図６】本発明の効果を示すフラフ。
【図７】従来技術の上面図。
【図８】図７のＡ−Ａ断面図。
【図９】図７のＢ−Ｂ断面図。
【図１０】図９のＡ部拡大図。
【発明を実施するための形態】
【００１０】
図１は、本発明におけるエキシマランプの第1の実施例を示す上面図であり、図２はそのＢ−Ｂ断面図、図３は図２のＡ部拡大図である。
図において、エキシマランプ１の放電容器２の外表面には、例えば、金ペーストを格子状に塗布した、メッシュ状の光透過性電極３、４が設けられている。そして、該放電容器２の内表面には、光照射面２ａを除いて反射膜５が形成されている。そして、該反射膜５の、前記光出射面２ａとは反対側の非光出射面２ｂにおける一端には光モニター用の採光口６が形成されている。
この採光口６は図示のように、反射膜５の端部に開放された形状であってもよいし、開放されずに独立開口であってもよい。
そして、特に、図３で明らかなように、上記採光口６の輪郭線６ａは、メッシュ状の光透過性電極４の素線４ａとは直線的に連続して重なることのないようにずらされている。
【００１１】
採光口６の輪郭線６ａと、外部電極４の素線４ａとが直線的に連続して重ならないようにするためには、図４に示すように、採光口６の輪郭線６ａの形状が非直線的、例えば半円形状等であってもよいし、或いは図５に示すように、外部電極４の素線４ａが放電容器２の軸線と角度をなすように形成されているものであってもよい。
【００１２】
なお、上記実施例においては、外部電極３、４の端部にはベタ状の電極７が設けられ、その端部に相当する放電容器２の内面には始動補助電極８が形成されたものを図示したが、必ずしもこれらを設ける必要はない。
【００１３】
本発明の効果を実証するための実験を行った。
＜本発明ランプ＞
本発明ランプとして、図１に示すような、発光長が１５４０ｍｍ、放電空間内にキセノンガスが０．０５ＭＰａ封入され、採光口６は略矩形状であって、その輪郭線６ａが外部電極４の素線４ａと直線的に重ならないようにされたものを用いた。
＜比較例ランプ＞
比較例ランプとして、図７に示すように、採光口２５の輪郭線２５ａが外部電極２３の素線２３ａと直線的に重なる構造のものを用意した。
【００１４】
これらのランプを、点灯周波数が５０ＫＨｚ、入力電力が３００Ｗの条件で点灯させた。そして、それぞれのランプの紫外光の光量を測定した結果が図６に示されている。図において、縦軸は紫外光の光量を表す信号値であり、横軸は時間である。
比較例ランプにおいては、光モニターでの測定値が低く、しかも、時間的にいくつものピーク値が発生していて、放電が不安定であり、これは反射膜のエッジ部に放電が集中したことによるものである。
これに対して本発明ランプでは、光量を示す信号値は低下することなく安定していることが分かる。
【００１５】
以上のように、本発明においては、放電容器内面に設けられた反射膜に形成される採光口の輪郭線が、メッシュ状の外部電極の素線と直線的に連続して重ならないようにしたので、採光口を形成する反射膜のエッジ部分に放電が集中することがなくなり、放電容器内で安定した放電を実現できるとともに、採光口全面でも均一な放電が生成されて、正確な紫外光のモニターが可能となるという効果を奏するものである。
【００１６】
なお、上記実施例の説明においては、放電容器２は角型管形状として説明したが、これに限られるものではなく、丸型管形状等の種々の形状を採用しうることは勿論である。
【符号の説明】
【００１７】
１      エキシマランプ
２      放電容器
２ａ    光出射面
２ｂ    非光出射面
３      光透過性外部電極（光出射面側）
４      光透過性外部電極（非光出射面側）
４ａ    素線
５      反射膜
６      採光口
６ａ    輪郭線
【図１】
0005287928.tif 000002
【図２】
0005287928.tif 000003
【図３】
0005287928.tif 000004
【図４】
0005287928.tif 000005
【図５】
0005287928.tif 000006
【図６】
0005287928.tif 000007
【図７】
0005287928.tif 000008
【図８】
0005287928.tif 000009
【図９】
0005287928.tif 000010
【図１０】
0005287928.tif 000011